(57)【要約】【課題】  遊技機の設置角度により始動入賞口への入賞率が変化することがなく、出球率の調整が容易となり、また、駆動源の小型化、コストの低減化が可能となる。【解決手段】  本発明は、遊技盤１の前面側に形成された遊技領域３に設けられる弾球遊技機の遊技部品７０であって、少なくとも左右方向に遊技球２６が転動可能なように形成されたステージ部２４を備え、ステージ部２４には、遊技球２６を左右に振り分け可能な左右振り分け機構７１，７２が設けられており、左右振り分け機構７１，７２は、ステージ部２４において遊技球２６と非接触形態で設けられた左右一対の電磁石７１，７２を備え、左右いずれか一方の電磁石を磁化させることによりステージ部２４の遊技球２６が左右に振り分けられるように構成されていることを特徴とする。【選択図】  図１１
2005198874.tif 000002
【特許請求の範囲】
【請求項１】
遊技盤の前面側に形成された遊技領域に設けられる弾球遊技機の遊技部品であって、
少なくとも左右方向に遊技球が転動可能なように形成されたステージ部を備え、該ステージ部には、前記遊技球を左右に振り分け可能な左右振り分け機構が設けられており、該左右振り分け機構は、前記ステージ部において前記遊技球と非接触形態で設けられた左右一対の電磁石を備え、左右いずれか一方の電磁石を磁化させることにより前記ステージ部の遊技球が左右に振り分けられるように構成されていることを特徴とする弾球遊技機の遊技部品。
【発明の詳細な説明】
【技術分野】
【０００１】
本発明は、パチンコ遊技機等の弾球遊技機の遊技部品に関し、特に、遊技球が転動可能なステージ部を備えた弾球遊技機の遊技部品に関する。
【背景技術】
【０００２】
従来、図柄表示装置や可変入賞口等の遊技部品を備えたパチンコ遊技機が広く親しまれている。この種のパチンコ遊技機では、遊技盤前面の遊技領域に設けられた始動入賞口に遊技球が入賞することを契機として、図柄表示装置において所要の図柄変動表示がなされ、その図柄の停止態様に応じて、可変入賞装置が開放され、遊技者に有利な遊技状態が付与されるようになっている。
【０００３】
このように、パチンコ遊技機では、始動入賞口への遊技球の入賞を契機とした図柄表示装置における図柄変動態様又は図柄停止態様が遊技の主たる興趣となっているため、近年では、図柄表示装置の大型化が進んでいる。しかしながら、図柄表示装置が大型化すると、遊技領域の大部分が図柄表示装置及びその周囲に配置された遊技部品により占有され、始動入賞口への遊技球の入賞ルートが制限されてしまうため、遊技球の転動を楽しむというパチンコ遊技機本来の遊技性を喪失させるおそれがあった。
【０００４】
そのため、遊技部品に、遊技球が通過可能な球流路とその球流路を通過した遊技球が転動可能なステージ部とを設け、球流路からステージ部を通って始動入賞口へ入賞する遊技球の新たな入賞ルートを備えたパチンコ遊技機が提案されており、さらに最近では、遊技球を高い確率で始動入賞口に入賞させる特定の流路をステージ部に形成させたパチンコ遊技機が提案されている（例えば、特許文献１，２参照）。
【０００５】
また、このようなパチンコ遊技機において、可変入賞装置には、ソレノイドやモータ等の駆動源により開閉可能な開閉扉と、該開閉扉を介して誘導された遊技球が左右に転動可能なように形成されたステージ部と、ソレノイド等の駆動源によりシーソーのように左右交互に傾動させ、前記ステージ部に誘導された遊技球を左右に振り分ける左右振り分け機構とが設けられており、左右振り分け機構によって左右に振り分けられた遊技球が前記ステージ部の左右にそれぞれ形成された特定入賞領域（Ｖゾーン）と一般入賞領域とにそれぞれ振り分けられるようになっている（例えば、特許文献３参照）。
【０００６】
【特許文献１】特開２００１−７０５３７号公報
【特許文献２】特許第３２３１９８０号
【特許文献３】特開２００２−１５３６３７号公報
【発明の開示】
【発明が解決しようとする課題】
【０００７】
しかしながら、上記したようにステージ部に特定の流路を形成させたパチンコ遊技機では、遊技機の前後方向への傾斜角度に応じて特定の流路に案内される割合が変化してしまうといった問題があった。すなわち、パチンコ遊技機は、通常、４分５厘（約１度）の後傾角で遊技島に設置されるようになっており、その設置角度の調整は、人間の手作業で行われることが多いため、各遊技機毎に設置角度にばらつきが生じ、ステージ部の傾斜角度が遊技機毎に変化し、特定の流路へ案内する割合が設計値から大きく外れるおそれがあった。そのため、出球率を調整することが難しく、例えば、設計値に対して特定の流路へ案内する割合の高い遊技機では、遊技釘を調整したとしても始動入賞口への入賞率を下げることが難しく、遊技店に営業上の損害を与えるおそれがあるといった問題があった。
【０００８】
また、上記した従来の可変入賞装置では、左右振り分け機構がシーソーのように左右交互に傾動し、一方側に傾動した場合には他方側がステージ部より上方に突出するようになっていたため、その突出部分に遊技球が接触することにより左右振り分け機構の動作方向とは反対方向にも外力が作用し、左右振り分け機構の駆動源に余分な負荷が掛かるようになっていた。そのため、駆動源はその余分な負荷を見込んだものにしなければならず、駆動源の駆動力やサイズが大型化し、コストも増大してしまうといった問題があった。
【０００９】
本発明は、上記した課題を解決すべくなされたものであり、遊技機の設置角度により始動入賞口への入賞率が変化することがなく、出球率の調整が容易となり、また、駆動源の小型化、コストの低減化が可能な弾球遊技機を提供するものである。
【課題を解決するための手段】
【００１０】
本発明は、遊技盤１の前面側に形成された遊技領域３に設けられる弾球遊技機の遊技部品７０であって、少なくとも左右方向に遊技球２６が転動可能なように形成されたステージ部２４を備え、ステージ部２４には、遊技球２６を左右に振り分け可能な左右振り分け機構７１，７２が設けられており、左右振り分け機構７１，７２は、ステージ部２４において遊技球２６と非接触形態で設けられた左右一対の電磁石７１，７２を備え、左右いずれか一方の電磁石を磁化させることによりステージ部２４の遊技球２６が左右に振り分けられるように構成されていることを特徴とする。
【発明の効果】
【００１１】
本発明によれば、ステージ部において遊技球が左右方向に振り分けられて転動するため、新たな興趣が得られ、遊技性の向上を図ることができる。また、ステージ部に導かれた遊技球は、左右振り分け機構により左右に確実に振分けられるため、弾球遊技機の設置角度により出球率がばらつくことがなく、出球率の調整が容易となる。
【００１２】
さらに、遊技球が左右振り分け機構と接触することなく左右に確実に振り分けられるようになるため、左右振り分け機構の駆動源の駆動力やサイズを最小限に抑えることができ、コストの低減化が可能となる等、種々の優れた効果を得ることができる。
【発明を実施するための最良の形態】
【００１３】
以下、図面を参照しつつ、本発明の実施の形態について説明する。なお、以下の説明では、本発明をパチンコ遊技機に適用した場合について説明する。
【００１４】
先ず、図１及び図２により、パチンコ遊技機の概略構成について説明する。ここで、図１はそのパチンコ遊技機の遊技盤１の正面図を示し、図２はその遊技盤１の背面図を示している。
【００１５】
この遊技盤１の前面には、遊技盤１の下方に設けられた発射レール１８の延長上にガイドレール２が環状に取付けられ、ガイドレール２の内側に遊技領域３が形成されている。遊技領域３には、その略中央部に図柄表示装置４が配置され、図柄表示装置４には、正面左側から左図柄５、中図柄６、右図柄７が表示されるようになっている。図柄表示装置４の周りには遊技部品８が設けられ、遊技部品８には、図柄表示装置４の各図柄５，６，７を視認可能なように矩形状の図柄表示領域透視部９が形成され、図柄表示領域透視部９の周りに複数（図示では４個）のランプ演出装置１０ａ〜１０ｄが配設され、正面左側上部には４個の保留ランプ１１が設けられている。そして、遊技部品８の下方の遊技領域３には、始動入賞口１２及び大入賞口１３を有する可変入賞装置１０９等の他の遊技部品が配置され、始動入賞口１２には始動入賞検出スイッチ１４が取付けられ、大入賞口１３には特定領域（Ｖゾーン）と一般領域とが区画形成され、その特定領域には特定領域通過検出スイッチ１５が取付けられている。また、遊技盤１の後面には、ランプ演出装置１０のＬＥＤランプ基板１６が設けられ、ＬＥＤランプ基板１６はコネクタ１７を介してランプ制御基板（図示せず）に接続されている。
【００１６】
次に、図１〜図７を参照しつつ、本発明の第１の実施の形態に係る遊技部品８について説明する。
【００１７】
遊技部品８は、ベース部材２１の周縁部に設けられた所要数の取付孔２２を介して遊技盤１にネジ止めされるようになっており、正面左側のランプ演出装置１０ｃの前方に鉛直方向に形成された球流路２３と、図柄表示領域透視部９の下方に形成されたステージ部２４とを備えている。球流路２３の上部には、図柄表示領域透視部９の正面左側上部に隣接して球入口２５が設けられ、球入口２５には正面左側斜め上方から遊技球２６が流入可能となっている。また、球流路２３の下部には球出口２７が設けられ、球出口２７は図柄表示装置４を臨む正面左側下部側面２８に開口されている。球出口２７からは、ステージ部２４の中央の球導入口２９に掛けて導入路３０が渡設され、導入路３０は球導入口２９に向かって下り勾配で傾斜している。導入路３０は１本の針金状部材を平行なレール状に折返すことにより形成され、その折返し部３１は環状を成し、導入路３０のレール幅は遊技球２６の直径より小さくなっている。この場合、導入路３０は、図１によく示されているように、図柄表示領域透視部９の正面左側下部の前方に位置しており、図柄表示領域透視部９と一部重なるが、針金状部材により形成されているため、図柄表示装置４の図柄表示の視認を妨げるおそれはない。このように、遊技部品８には、球流路２３と導入路３０によりステージ部導入路１９が形成され、球入口２５に入球した遊技球２６がステージ部導入路１９によってステージ部２４に導かれるようになっている。なお、導入路３０の構成は、上記した構成に限定されるものではなく、３本の針金状部材を使用し、Ｖ溝状に形成させる等、各種変更が可能である。
【００１８】
ステージ部２４は、ステージ部導入路１９により導かれた遊技球２６を振分け手段３３に導く振分け手段案内路３２と、振分け手段案内路３２により導かれた遊技球２６を始動入賞口１２に入賞し易い特定流路と該特定流路より始動入賞口１２に入賞し難い一般流路とに振分け可能な振分け手段３３とを備えている。
【００１９】
振分け手段案内路３２は、中央部から両端部に向かって前後方向に幅広に形成され、左右対称形状を成しており、導入路３０の終端に連結される球導入口２９と、左右の振分け手段３３に遊技球２６を案内する振分け手段案内部２０とを主体に構成されている。
【００２０】
球導入口２９は、前後一対の球導入口基部３４を有しており、前後の球導入口基部３４は遊技球２６の通過を許容し得る間隔を有して振分け手段案内路２０の略中央部に立設されている。
【００２１】
また、球導入口基部３４の上部には、前後の球導入口基部３４に亘って平面視逆Ｃ字状の球導入口案内部３５が遊技球２６の通過を許容し得る内径を有して導入路３０の終端と連結するように形成され、さらに、球出口２７と対向する位置の球導入口案内部３５には導入路３０より上方に突出するように球受け部３６が形成されており、球導入口３０から球導入口２９に遊技球２６を確実に落下案内できるようになっている。
【００２２】
球導入口２９の外側には導入路支持部３７がそれぞれ前後に突出して形成され、導入路支持部３７上に導入路３０の折返し部３１が支持されるようになっている。また、球受け部３５の外側には、導入路掛止部３８が正面右側に突出して形成され、導入路掛止部３８の下部に導入路３０の折返し部３１が掛止されるようになっている。すなわち、導入路３０は、折返し部３１が導入路支持部３７に支持されると共に導入路掛止部３８に掛止されることにより、球導入口２９に取付けられるようになっている。
【００２３】
振分け手段案内部２０には、球導入口２９の中心に対応する位置に左右振り分け機構として半球形状の左右振分け突起部３９が突設されていると共に、左右振分け突起部３９を頂点として左右方向に僅かに下り勾配の傾斜路４０が形成されている。このため、球導入路２９から落下した球が左右振分け突起部３９により左右の傾斜路４０に略均等に案内されるようになっている。また、振分け手段案内部２０には、傾斜路４０の前端に、遊技球２６の前方への落下を阻止する落下防止壁４１が立設されており、球導入口２９から流下した全ての遊技球２６が傾斜路４０により振分け手段３３へ案内されるようになっている。傾斜路４０は、球導入口２９と対応する略中央部を最後方として湾曲して形成されており、左右の両端部が後述する回転流路４８の外周に合致するように半円状に切欠き形成されている。そして、傾斜路４０の端部背面（振分け手段案内路３２の背面）にはそれぞれ位置決め突条部４２が形成されており、位置決め突条部４２は回転流路４８の外周に嵌設するようになっている。
【００２４】
振分け手段３３は、ステージ部２４の両側においてそれぞれ回転可能に設けられた略円盤形状の左右一対の回転振分け部材４３と、回転振分け部材４３を回転させる回転振分け部材駆動手段４４とを備えており、回転振分け部材４３の下面中心部には回転支軸４５が突設されている。回転振分け部材４３には１個の球通過孔４６と４個のポケット部４７がそれぞれ放射状に配置され、球通過孔４６及び各ポケット部４７はそれぞれ、遊技球２６を誘い込み易いようにＵ字状平面を成し、ポケット部４７は溝状に形成されている。そして、球通過孔４６は遊技球２６を特定流路へ案内する特定流路案内部として機能し、ポケット部４７は遊技球２６を一般流路へ案内する一般流路案内部として機能するようになっている。
【００２５】
前記特定流路は、左右の回転振分け部材４１の下方において碗状に形成された回転流路４８と、各回転流路４８の後方からそれぞれステージ部２４の中央に向かって下り勾配で傾斜する左右の直線流路４９と、左右の各直線流路４９の間に形成された球落下孔５０と、球落下孔５０に連通し、前方に僅かに傾斜して形成された排出口５１とから構成されており、排出口５１は特定の入賞口である始動入賞口１２の真上に位置するようになっている。回転流路４８の中心部には円筒形状の回転支軸受け部５２が突設され、回転子軸受け部５２を回転振分け部材４３の回転支軸４５が挿通するようになっている。また、回転流路４８は、直線流路４９への出口部分５３に向かって傾斜しており、回転支軸受け部５２を挟んで出口部分５３の反対側部分が最も高くなるように形成されている。さらに、直線流路４９には前端部に沿って球落下防止壁５４が形成され、球落下孔５０と排出口５１の内面にはそれぞれ遊技球２６の流下方向に沿って２本のレール部５５が平行に突設されている。
【００２６】
前記一般流路は、回転流路４８の両側の外周に沿って耳状に凹設された排出路６７から構成されている。排出路６７はポケット部４７と同一高さに形成されていると共に、前下り勾配で傾斜して形成されており、遊技球２６がポケット部４７から排出路６７を経由して始動入賞口１２に向かって落下可能なように形成されている。
【００２７】
また、振分け手段案内路３２の下方で直線流路４９の前方にはサブステージ５６が形成されており、サブステージ５６は両端部から中央部５７に向かって下り勾配で傾斜している。また、サブステージ５６の前端部には、中央部５７を除いて、球落下防止壁５８が立設され、サブステージ５６の中央部５７は僅かに前方に傾斜している、さらに、サブステージ５６の中央部５７の後方には球落下孔５０に向かって傾斜する球落下孔案内部５９が形成されている。
【００２８】
回転振分け手段駆動手段４４は、金属板製のベース部材６０を介してステージ部２４の下面側にネジ止めされるようになっており、ベース部材６０には、モータ６１と、モータ６１の回転軸６４に嵌設する駆動ギア６５及び互いに歯合する複数（図示では１１個）のギア６２ａ〜６２ｋから成る駆動伝達機構６３とが設けられている。モータ６１はベース部材６０の正面右側端部上に取付けられ、モータ６１の回転軸６４はベース部材６０を下方に貫通し、駆動ギア６５は駆動伝達機構６３の正面右側のギア６２ｋと歯合している。駆動伝達機構６３のギア６２ｃ〜６２ｋはベース部材６０の駆動伝達機構収容部６６に回転自在に軸着され、駆動伝達機構収容部６６には金属板が対向して設けられているため、ギア６２ｃ〜６２ｋが駆動伝達機構収容部６６から脱落しないようになっている。駆動伝達機構６３の前側の２個のギア６２ａ，６２ｂは、それぞれ左右の回転振分け部材４３の下方に配置され、回転振分け部材４３の回転支軸４５に嵌設されており、回転振分け部材４３と一体に回転可能となっている。この場合、回転振り分け部材４３の下方に配置された２個のギア６２ａ，６２ｂの間には、偶数個（８個）のギア６２ｃ〜６２ｊが介装されているため、左右の回転振分け部材４３は互いに反対方向に回転するようになっている。また、左右の回転振分け部材４３は、略同一回転速度で回転し、図４に示すように、一方の球通過孔４６が遊技球２６を受け入れ可能なように内側を向いている時には他方の球通過孔４６は遊技球２６を受け入れないように外側を向くように設定されている。したがって、遊技者は止め打ちにより球通過孔４６を狙うことをできなくなり、遊技の偶発性を高めることができる。
【００２９】
次に、主に図１及び図８〜１０を参照しつつ、本実施の形態に係るパチンコ遊技機の動作について説明する。
【００３０】
遊技者により弾球された遊技球２６が遊技領域３を落下する過程において、球入口２５に入球すると、遊技球２６は球流路２３内を通過し、球出口２７から導入路３０を転動し、球導入口２９内に入球する。
【００３１】
球導入口２９内に入球した遊技球２６は左右振分け突起部３９に落下し、左右振分け突起部３９により左右のいずれかの方向に振分けられる。この時、球導入口基部３４の前後離間距離及び球導入口案内部３５の内径がいずれも遊技球２６の直径より大きいため、遊技球２６は左右振分け突起部３９に対して左右のいずれかに偏った位置で落下し、左右振分け突起部３９に落下した遊技球２６は左右いずれかの方向に確実に振分けられる。また、左右振分け突起部３９は球導入口２９の中心に配置され、半球状に形成されているため、遊技球２６は左右に均等に振分けられる。
【００３２】
左右振分け突起部３９によって左右に振分けられた遊技球２６は、傾斜路４０に沿って回転振り分け部材４３に向かって転動し、例えば、図１０（ａ）の左側に示されているように球通過孔４６に入球し、回転流路４８に落下する。この時、モータ６１及び駆動ギア６５の回転が駆動ギア６５に順次歯合する複数のギア６２ｃ〜６２ｊを介してギア６２ａ及び６２ｂに伝達されることにより、左右の各回転振分け部材４３はそれぞれ略同一速度で、互いに反対方向に回転している。
【００３３】
また、回転流路４８に落下した遊技球２６は、図１０（ｂ）の左側に示されているように、回転流路４８から直線流路４９に転動し、球落下孔５０に入球後、球落下孔５０及び排出口５１内のレール部５５に沿って転動し、排出口５１から遊技領域３に排出される。そして、排出口５１から排出された遊技球２６は、排出口５１が始動入賞口１２の真上に位置しているため、極めて高い確率で始動入賞口１２に入賞する。このように、前記特定流路を通過した遊技球２６は、極めて高い確率で始動入賞口１２に入賞可能となる。
【００３４】
なお、図１０（ａ）では、説明の便宜上、左側の球通過孔４６が遊技球２６を受け入れ可能なように内側を向いている時に右側の球通過孔４６が内側斜め前方を向くように描かれているが、実際には、図４に示すように、左側の球通過孔４６が遊技球２６を受け入れ可能なように内側を向いている時には右側の球通過孔４６は外側を向くように設定されている。
【００３５】
一方、図１０（ａ）の右側に示されているように、ポケット部４７に入球した遊技球２６は、ポケット部４７に保持された状態で回転振り分け部材４３と共に回転し、ポケット部４７が排出路６７と接すると、ポケット部４７内の遊技球２６は排出路６７に放出される。そして、その遊技球２７は、排出路６７から始動入賞口１２に向かって遊技領域３に排出される。このように、前記一般流路を通過した遊技球２６は、前記特定領域を通過した場合よりは低い確率で始動入賞口１２に入賞するようになる。
【００３６】
以上のように、遊技球２６がステージ部２４に導かれた場合、球導入口２９には球出口２７に対向するように球受け部３６が形成されているため、導入路３０を転動してきた遊技球２６が球受け部３６を飛び越えるおそれはなく、球導入口２９内に確実に入球し、また、振分け手段案内路３２には球落下防止壁４１が形成されているため、遊技球２６は回転振分け部材４３の球通過孔４６又はポケット部４７のいずれかに確実に入球する。そのため、ステージ部２４に流入した全ての遊技球２６は、回転振分け部材４３に形成された球通過孔４６とポケット部４７の設置比率に応じて前記特定流路と一般流路のいずれかに確実に振分けられる。さらに、直線流路４９の前端部には球落下防止壁５４が形成されているため、前記特定流路に進入した遊技球２６は、前記特定流路から外れることなく、排出口５１から確実に排出される。したがって、パチンコ遊技機の遊技島への設置角度がばらついたとしても、前記特定流路と一般流路への入球割合が変化することはなく、釘の調整がし易く、出球率の調整が容易となる。また、ステージ部２４に流入した全ての遊技球２６が左右振り分け突起部３９により均等に左右に振分けられるようになっているため、ステージ部２４の左右両側のスペースを有効に利用することができる。
【００３７】
また、本実施の形態においては、ステージ部２４に１個の遊技球２６が流入した場合は始動入賞口１２への入賞率が変化することはないが、連続して遊技球２６の流入があった場合は先にステージ部２４に流入した遊技球２６がポケット部４７に貯留されているため、２個目以降の遊技球２６の始動入賞口１２への入賞率は変化する。これにより、遊技者は止め打ちにより球通過孔４６を狙うことをできなくなり、遊技の偶発性を高めることができる。なお、このように入賞口が変化することを嫌う場合には、ポケット部４７に流入した遊技球２６を直ぐに一般流路に案内するような構成にしてもよい。
【００３８】
また、図１０（ａ）に良く示されているように、振分け手段案内路３２の中央部が後退しているため、弾球された遊技球２６が、直接、サブステージ５６に落下する場合もある。そして、サブステージ５６に落下した遊技球２６は、サブステージ５６の中央部５７から前方に落下したり、或いは、球落下孔案内部５９を介して球落下孔５０に落下後、排出口５１から排出されたりする。この場合には、サブステージ５６の中央部５７及び排出口５１がいずれも始動入賞口１２の真上に位置しているため、遊技球２６は高い確率で始動入賞口１２に入賞可能となる。
【００３９】
このように、遊技球２６が、球入口２５に入球後に前記特定流路又は前記一般流路を通って、或いは、球入口２５に入賞することなくサブステージ５６を介して、或いは、直接、始動入賞口１２に入賞した場合、始動入賞検出スイッチ１４が遊技球２６の始動入賞口１２への入賞を検出し、その検出信号が図示しない制御装置に送られる。この検出信号に基づいて、前記制御装置は図柄始動信号を送信し、この図柄始動信号により、図柄表示装置４において図柄の変動表示が開始される。この時、遊技球２６の始動入賞口１２への入賞を始動入賞検出スイッチ１４が検出する度に、図柄の変動・停止がそれぞれ１回ずつ行われるが、図柄の変動表示中に遊技球２６の始動入賞口１２への入賞を始動入賞検出スイッチ１５が検出した場合、保留ランプ１１が点灯し、遊技者にそのことを報知する。そして、図柄変動表示中に始動入賞検出スイッチ１５で検出された遊技球２６の数は最大４個まで記憶され、その図柄の変動・停止動作が終り次第、保留ランプの数に相当する回数分の図柄の変動・停止が順次行われる。
【００４０】
上記したように、図柄表示装置４において図柄の変動表示が開始され、所定時間経過後、前記制御装置は、左図柄５と右図柄７の図柄が揃うと判断した場合、前記ランプ制御基板を介してランプ演出装置１０を点滅等させ、遊技がリーチ状態にあることを報知し、遊技者に期待感を抱かせる。
【００４１】
その後、前記制御装置は、左図柄５、中図柄６、右図柄７のすべての図柄が揃うと判断した場合、前記ランプ制御基板を介してランプ演出装置１０を点滅等させ、遊技が大当り状態にあることを報知し、通常遊技から特別遊技（大当り遊技）に移行する。
【００４２】
このように特別遊技に突入すると、大入賞口１３が開放され、その大入賞口１３に遊技球２６が入賞した場合には１５球の賞球が遊技者に払い出される。大入賞口１３は、開放してから３０秒経過するか、又は１０球の入賞があるかのいずれかの事象が発生した場合に一旦閉鎖するが、大入賞口１３が開放している間に、特定領域（Ｖゾーン）への入賞があった場合には、大入賞口１３は再度開放される。そして、大入賞口１３は、最大１６回連続して開放することが可能となっており、大入賞口１３が１６回開放し終えるか、或いは大入賞口１３の開放中に前記特定領域（Ｖゾーン）への入賞を特定領域通過検出スイッチ１５が検出しなかった場合には、特別遊技は終了する。
【００４３】
次に、図１１及び図１２を参照しつつ、本発明の第２の実施の形態に係る遊技部品について説明する。なお、上記した第１の実施の形態に係る遊技部品８と同様の構成については、説明の簡略化のため、図１１及び図１２中、図１〜図１０と同一の符号を付し、その構成及び動作に関する詳細な説明は省略する。
【００４４】
本実施の形態に係る遊技部品７０では、上記した第１の実施の形態における左右振分け突起部３９の代わりに、遊技球２６の左右振り分け機構として、ステージ部２４の傾斜路４０の下面に左右一対の電磁石７１，７２が固定されている。左側電磁石７１及び右側電磁石７２は球導入口２９の両側にそれぞれ配置され、遊技球２６が直接接触しない非接触形態で設けられている。また、後側の球導入口基部３４には中央部に検出孔７３が穿設され、検出孔７３の後方に検出センサ７４が取り付けられている。そして、左右の電磁石７１，７２及び検出センサ７４はそれぞれ図示しない制御装置に接続されている。なお、左右の電磁石７１，７２は、上記した固定方法に限定されるものではなく、ステージ部２４の後壁面７５等、他の部分から支持部材を介して固定してもよい。
【００４５】
次に、本発明の実施の形態に係る遊技部品７０の動作について説明する。
【００４６】
遊技領域３に弾球された遊技球２６は、導入路３０を経て球導入口２９内に入球し、検出センサ７４の前方を通過すると、検出センサ７４は球検出信号を前記制御装置に送信し、該制御装置は、左右いずれか一方の電磁石、例えば、左側電磁石７１に電流を流すように制御する。通電された左側電磁石７１は磁化され、振分け手段案内部２０の中央部に落下した遊技球２６は、図１１において二点鎖線で示されているように、左側電磁石７１によって左側に引き寄せられ、傾斜路４０に沿って左側の回転振り分け部材４３に向かって転動する。
【００４７】
そして、次の遊技球２６が検出センサ７４の前方を通過すると、今度は、前記制御装置は、他方の右側電磁石７２に電流を流すように制御し、通電された右側電磁石７１は磁化され、振分け手段案内部２０の中央に落下した遊技球２６は、図１１において一点鎖線で示されているように、右側電磁石７２によって右側に引き寄せられ、傾斜路４０に沿って右側の回転振り分け部材４３に向かって転動する。
【００４８】
このように、検出センサ７４が遊技球２６を検出する度に、左右の電磁石７１，７２が交互に磁化されるようになっているため、球導入口２９内に入球した遊技球２６は確実に１球ずつ交互に左右の傾斜路４０に振り分けられるようになる。
【００４９】
また、その後、左右いずれかの回転振り分け部材４３に振り分けられた各遊技球２６は、上記した第１の実施の形態の場合と同様に、特定流路又は一般流路を通って、遊技領域３に排出され、前記特定流路を通って遊技領域３に排出された遊技球２６は、極めて高い確率で始動入賞口１２に入賞し、前記一般流路を通って遊技領域３に排出された遊技球２６は、前記特定領域を通過した場合よりは低い確率で始動入賞口１２に入賞するようになる。
【００５０】
なお、上記した第２の実施の形態では、遊技球２６を１球毎に左右に振り分けるように左右振り分け機構を制御しているが、２球以上毎、或いは、左右に振り分ける球数が毎回異なるようにランダムに左右に振り分けるように制御することもできる。
【００５１】
このように、上記した第２の実施の形態によれば、非接触形態で遊技球２６を左右に振り分けることができるため、遊技球２６が左右いずれの方向に振り分けられるのかの判断が付き難く、遊技者に止め打ち等によりタイミングを計られるおそれがなくなる。また、前記左右振り分け機構が非接触形態で構成されているため、駆動源である電磁石７１，７２への負荷を最小限に抑えることができ、ランニングコストの低減化が可能となる。
【００５２】
次に、図１３を参照しつつ、本発明の第３の実施の形態に係る遊技部品について説明する。なお、上記した第１の実施の形態に係る遊技部品８と同様の構成については、説明の簡略化のため、図１３中、図１〜図１０と同一の符号を付し、その構成及び動作に関する詳細な説明は省略する。
【００５３】
本実施の形態に係る遊技部品８０では、上記した第１の実施の形態における左右振分け突起部３９の代わりに、遊技球２６の左右振り分け機構として、揺動可能に設けられた左右振分け部材８３と、左右振分け部材８３の駆動源である左右一対のソレノイド８１，８２とが、遊技球２６と直に接触する接触形態で設けられている。各ソレノイド８１，８２はステージ部２４の傾斜路４０の下面に固定されており、左側ソレノイド８１及び右側ソレノイド８２は球導入口２９の両側にそれぞれ配置されている。そして、左右のソレノイド８１，８２にはそれぞれ伸縮自在のプランジャー８４，８５が対向した向きで水平に設けられ、それぞれのプランジャー８４，８５は左右振分け部材８３を挟持した状態で連結されている。
【００５４】
左右振分け部材８３は縦長の直方体形状を成し、その上端部８７は振分け手段案内部２０の中央部を貫通すると共に前後の球導入口基部３４に渡設された軸部８８に枢支されており、上端部８７の上面には遊技球２６が落下可能な球受け部９１が平面状に形成されている。なお、球受け部９１は、左右に確実に振り分け可能な形状であれば、左右方向に沿ってＵ字溝状に形成される等、他の形状を成していてもよい。また、左右振分け部材８３の下端部８６は各プランジャー８４，８５に枢支されており、左右振分け部材８３は軸部８８を支点に揺動可能に設けられている。
【００５５】
後側の球導入口基部３４には中央部に検出孔８９が穿設され、検出孔８９の後方に検出センサ９０が取り付けられている。そして、左右のソレノイド８１，８２及び検出センサ９０はそれぞれ図示しない制御装置に接続されている。なお、ソレノイドは、必ずしも左右一対で２個設けられている必要はなく、いずれか一方のソレノイドだけが設けられていてもよい。また、左右のソレノイド８１，８２はステージ部２４の後壁面９２等、他の部分から支持部材を介して固定されてもよい。さらに、左右振分け部材８３の駆動源としては、上記したソレノイドの他、リニアモータ等を使用してもよい。
【００５６】
次に、本発明の実施の形態に係る遊技部品８０の動作について説明する。
【００５７】
遊技領域３に弾球された遊技球２６は、導入路３０を経て球導入口２９内に入球し、検出センサ９０の前方を通過すると、検出センサ９０から球検出信号が前記制御装置に送られる。そして、左右のソレノイド８１，８２は、図１３（ａ）に示すように、通電されずに球受け部９１が水平姿勢に保たれた平衡状態から、例えば、図１３（ｂ）に示されているように、左側ソレノイド８１のプランジャー８４が伸長し、右側ソレノイド８２のプランジャー８５が縮退するように通電制御される。そうすると、左右振分け部材８３の下端部８６は軸部８８を支点に右方に回動し、左右振分け部材８３の上面が左傾するため、左右振分け部材８３に落下した遊技球２６は左側の傾斜路４０に落下し、その傾斜路４０に沿って左側の回転振り分け部材４３に向かって転動する。
【００５８】
そして、次の遊技球２６が検出センサ９０の前方を通過すると、例えば、図１３（ｃ）に示されているように、右側ソレノイド８２のプランジャー８５が伸長し、左側ソレノイド８１のプランジャー８４が縮退するように左右のソレノイド８１，８２が通電制御される。そうすると、左右振分け部材８３の下端部８６は軸部８８を支点に左方に回動し、左右振分け部材８３の上面が右傾するため、左右振分け部材８３に落下した遊技球２６は右側の傾斜路４０に落下し、その傾斜路４０に沿って右側の回転振り分け部材４３に向かって転動する。
【００５９】
このように、検出センサ９０が遊技球２６を検出する度に、左右振分け部材８３が軸部８８を支点に揺動し、左右振分け部材８３の上面が左右に交互に傾動するようになっているため、球導入口２９内に入球した遊技球２６は確実に１球ずつ左右の傾斜路４０に振り分けられるようになる。
【００６０】
また、その後、左右いずれかの回転振り分け部材４３に振り分けられた各遊技球２６は、上記した第１の実施の形態の場合と同様に、特定流路又は一般流路を通って、遊技領域３に排出され、前記特定流路を通って遊技領域３に排出された遊技球２６は、極めて高い確率で始動入賞口１２に入賞し、前記一般流路を通って遊技領域３に排出された遊技球２６は、前記特定領域を通過した場合よりは低い確率で始動入賞口１２に入賞するようになる。
【００６１】
なお、上記した第３の実施の形態では、遊技球２６を１球毎に左右に振り分けるように左右振り分け機構を制御しているが、２球以上毎、或いは、左右に振り分ける球数が毎回異なるようにランダムに左右に振り分けるように制御することもできる。また、左右のソレノイド８１，８２が通電されない平衡状態の時に、図１３（ｂ）に示すように左右振分け部材８３が左傾した状態となり、通電された時に図１３（ａ）や（ｃ）に示すような状態となるようにしたり、或いは、左右のソレノイド８１，８２が通電されない平衡状態の時に、図１３（ｃ）に示すように左右振分け部材８３が右傾した状態となり、通電された時に図１３（ａ）や（ｂ）に示すような状態となるようにしてもよい。
【００６２】
また、上記した第１〜第３の各実施の形態では、回転振分け部材４３に１個の球通過孔４６と４個のポケット部４７が形成されているが、これは単なる例示に過ぎず、球通過孔４６とポケット部４７の設置数及びその設置比率は各種変更が可能である。また、回転振分け部材４３の設置数は、１個でも３個以上であってもよい。
【００６３】
さらに、駆動伝達機構６３を構成するギアの数は上記した個数に限定されるものではなく、回転振り分け部材４３の下方に配置された２個のギア６２ａ，６２ｂの間に、奇数個のギアが介装されてもよく、その場合には、左右の回転振分け部材４３は互いに同一方向に回転するようになる。
【００６４】
さらに、駆動伝達機構６３は、例えば、図４の駆動ギア６５、ギア６２ａ，６２ｂ，６２ｄ，６２ｉの位置にそれぞれベルト車を配置し、各ベルト車をベルトで連結し、構成させてもよく、この場合には、左右の回転振分け部材４３はそれぞれ同一方向に回転するようになる。さらにまた、駆動伝達機構６３は、ローラチェーン等の他の伝達機構、或いは、歯車とベルト、又は歯車とローラチェーンを組合せて構成させる等、各種変更が可能であり、さらに、左右の回転振分け部材４３の回転方向も自由自在に変更可能である。
【００６５】
また、左右の回転振分け部材４３は、必ずしも図４に示すような配置に限定されるものではなく、一方の球通過孔４６が遊技球２６を受け入れ可能な状態にある時に他方の球通過孔４６が遊技球２６を受け入れ不能な状態となるように設定されていればよい。
【００６６】
次に、図１及び図１４〜図１７を参照しつつ、本発明の第４の実施の形態に係る遊技部品として可変入賞装置１０９について説明する。ここで、図１４は可変入賞装置１０９の正面図、図１５はその背面図、図１６はその分解背面図、図１７は可変入賞装置１０９を後方から見た分解斜視図をそれぞれ示している。なお、図１と図１４〜図１７とでは、可変入賞装置１０９の形状及びデザインが多少異なるが、その構成及び作用上、実質的な相違はなく、以下の説明においては、同一のものと仮定して説明を進める。
【００６７】
可変入賞装置１０９は、ベース部材１１１の周縁部に設けられた所要数（図示では４個）の取付孔１１２を介して遊技盤１にネジ止めされるようになっており、ベース部材１１１の略中央部に形成された矩形状の開口部１１３を開閉可能な開閉扉１１４と、ベース部材１１１の後方に設けられる筐体１１５と、筐体１１５に設けられ、筐体１１５内に誘導された球を左右の入賞領域に振り分けるための左右振り分け機構１１６及び開閉扉１１４を開閉駆動させるための開閉扉駆動機構１１７とを主体に構成され、筐体１１５は、さらに箱部材１３１と、箱部材１３１の後側を閉塞する通路形成部材１３２とから構成されている。
【００６８】
ベース部材１１１は、遊技盤１の前面に沿うように略平板状に形成されており、ベース部材１１１の後面には、ネジ止め用のボス部１１８が左右それぞれ２箇所ずつ突設されている。また、ベース部材１１１の後面の開口部１１３の両側下部には、上下で一対の回動軸受け部１１９，１２０が突設され、各回動軸受け部１１９，１２０の設置箇所にはそれぞれ軸受け凹部１２１，１２２が形成されている。
【００６９】
開閉扉１１４は、ベース部材１１１の開口部１１３に整合するような矩形状を成しており、開閉扉１１４の前面には、両側下部にそれぞれ前面当接部１２３が突設され、前面当接部１２３が開口部１１３下方のベース部材１１１の前面側縁部に当接することにより開閉扉１１４の開放時に開閉扉１１４の後面が後方に傾斜した姿勢で保持されるようになっている。また、開閉扉１１４の後面には球受容部１２４が形成されており、球受容部１２４には、両側にそれぞれ球案内側壁１２５が突設されていると共に各球案内側壁１２５の途中からそれぞれ後方内側に向かって球寄せ壁１２６が突設されている。
【００７０】
さらに、開閉扉１１４の両側下部には、回動軸部１２７，１２８がそれぞれ左右（以降、左右方向はすべて後方から見た方向を言うものとする。）外方に突出して形成され、一方側（本実施の形態では右側）の回動軸部１２８の先端には後方が開放されたＵ字形状を成す駆動伝達部材係合部１２９が形成されている。そして、回動軸部１２７が回動軸受け部１１９及び軸受け凹部１２１に係合すると共に回動軸部１２８が回動軸受け部１２０及び軸受け凹部１２２に係合することにより、開閉扉１１４が回動軸部１２７，１２８を支点に前後方向に回動可能に支持されるようになっている。さらにまた、開閉扉１１４の両側下部には、それぞれ後面当接部１３０が下方に突設され、後面当接部１３０が開口部１１３下方のベース部材１１１の後面側縁部に当接することにより開閉扉１１４の閉塞姿勢が保持されるようになっている。
【００７１】
筐体１１５のうち、箱部材１３１には、両端部に固定用鍔部１３５が形成され、固定用鍔部１３５にはそれぞれ３箇所ずつ取付孔１３６ａ，１３６ｂ，１３６ｃが穿設されている。そのうち、各上下の取付孔１３６ａ及び１３６ｃはベース部材１１１のボス部１１８に対応した位置に形成されており、取付孔１３６ａ，１３６ｃに後方からネジを螺入することにより、箱部材１３１がベース部材１１１にネジ止め固定されるようになっている。
【００７２】
箱部材１３１は、内部が中央部分１３７とその左右側方部分１３８，１３９との３部分から構成されており、中央部分１３７には、放物状に湾曲するステージ部１４０が形成されている。ステージ部１４０には、中央に形成された最頂部１４１から左右方向に向かってそれぞれ下がり勾配の傾斜路１３３，１３４が形成されており、各傾斜路１３３，１３４の端部には遊技球を後方に案内するための球案内部１５３，１５４がそれぞれ形成されている。そして、ステージ部１４０の最頂部１４１の両側下面には、駆動源取付部１４２，１４３が左右一対で形成され、各駆動源取付部１４２，１４３に駆動源である電磁石１４４，１４５がそれぞれ嵌着されている。この左右いずれかの電磁石１４４又は１４５は、図示しない制御装置により、通常は、遊技球が特定入賞領域に入賞する迄は、左側（特定入賞領域側）の電磁石１４４が通電され、遊技球が特定入賞領域に入賞すると判断されると、右側（一般入賞領域側）の電磁石１４５が通電され、その状態が次のラウンド迄、維持されるようになっている。その結果、ステージ部１４０の最頂部１４１付近に誘導された遊技球は、その通電により磁化された方の電磁石に引き寄せられることにより、左右いずれかの方向に振り分けられるようになる。このようにして、ステージ部１４０上の遊技球と電磁石１４４，１４５とを接触させることなく遊技球を左右に振り分ける非接触形態の左右振り分け機構１１６が構成される。なお、上記した電磁石１４４，１４５の制御手順は、単なる一例であり、予め設定された所定のタイミングで交互に通電制御されるようになっていれば他の手順で制御されてもよい。
【００７３】
また、箱部材１３１の一方側（本実施の形態では右側）の側方部分１３９には、開閉扉駆動機構１１７が収容可能となっており、その側方部分１３９の上部には駆動源収容部１４６が形成され、下部には駆動伝達部材収容部１４７が形成されている。そして、駆動源収容部１４６には、内面が曲面状を成す側壁部１４８が左右一対で形成され、各側壁部１４８の間には駆動源動作規制部１４９が上下方向に形成されている。
【００７４】
一方、駆動伝達部材収容部１４７には、中央に方形状の開口部１５０が形成され、開口部１５０に回動軸部１２８の駆動伝達部材係合部１２９が位置するようになっている。そして、その開口部１５０と中央部分１３７との間の仕切壁前端部１５１は、回動軸受け部１２０に対向した位置に設けられており、回動軸部１２８が回動軸受け部１２０から後方に脱落しないようになっている。また、駆動伝達部材収容部１４７の開口部１５０の両側には、後方が開放されたＵ字形状の駆動伝達部材回動軸受け部１５２がそれぞれ左右一対で形成されている。
【００７５】
また、箱部材１３１の他方側（本実施の形態では左側）の側方部分１３８には、図示しないが、回動軸部脱落防止部が回動軸受け部１１９に対向した位置に設けられ、回動軸部１２７が回動軸受け部１１９から後方に脱落しないようになっている。このように、開閉扉１１４の左右の回動軸部１２７，１２８は、それぞれ、回動軸受け部１１９と前記回動軸部脱落防止部、及び回動軸受け部１２０と仕切壁前端部１５１により、回動可能に支持されるようになっている。
【００７６】
開閉扉駆動機構１１７は、駆動源であるソレノイド１５５と、ソレノイド１５５の駆動力を開閉扉１１４に伝達する駆動伝達部材１５６とを主体に構成されている。ソレノイド１５５は、本実施の形態ではラッチングソレノイドを使用しており、図示しない永久磁石及びコイルを内蔵するソレノイド本体１５７と、ソレノイド本体１５７に進退可能に設けられたプランジャ１５８と、プランジャ１５８の先端部に一体成形された係合鍔部１５９と、プランジャ１５８に周設されたコイルバネ（図示せず）とを備え、プランジャ１５８は前記コイルバネにより前進方向に付勢されている。そして、ソレノイド１５５は、係合鍔部１５９を前方に向けた姿勢で、ソレノイド支持部材１６０を介在させて、箱部材１３１の一方側（本実施の形態では右側）の固定用鍔部１３５の中央の取付孔１３６ｂにネジ止め固定されるようになっている。なお、駆動源としては、上記したラッチングソレノイドに限定されるものではなく、他のタイプのソレノイド、或いは、ステッピングモータ、リニアモータ等のモータを使用することも可能である。
【００７７】
駆動伝達部材１５６は、ソレノイド１５５の係合鍔部１５９に係合する入力側部材１６１と、開閉扉１１４の駆動伝達部材係合部１２９に係合する出力側部材１６２と、入力側部材１６１と出力側部材１６２を相互に連結するねじりバネ１６３とから構成され、ねじりバネ１６３の両端部にはそれぞれ鉤状に屈曲された掛止部１６４，１６５が形成されている。入力側部材１６１は、挿通孔１６６が形成された出力側部材係合部１６７と、出力側部材係合部１６７の外周部から水平方向に延出する一対の駆動源係合部１６８ａ，１６８ｂと、駆動源係合部１６８ａ，１６８ｂの基端側に段状に形成されたバネ掛止受け部１６９とから構成され、一方の駆動源係合部１６８ａの先端部には当接突起部１７０が形成されている。
【００７８】
一方、出力側部材１６２は、出力側部材係合部１６７の挿通孔１６６に挿通可能且つ両端部が駆動伝達部材回動軸受け部１５２に係合可能な係合軸部１７１と、係合軸部１７１の周方向に沿って所定間隔を置いて軸方向に複数形成されたバネ収容突起部１７２と、係合軸部１７１の径方向に延出する駆動伝達腕部１７３と、係合軸部１７１と平行を成すように駆動伝達腕部１７３から延出する係合ピン１７４と、駆動伝達腕部１７３の基端側に段状に形成されたバネ掛止受け部１７５とから構成され、係合軸部１７１は出力側部材係合部１６７の挿通孔１６６より若干小径に形成されている。また、駆動伝達腕部１７３の外周部には入力側部材１６１の当接突起部１７０が当接可能な当接突起受け部（図示せず）が形成されている。
【００７９】
すなわち、ねじりバネ１６３をバネ収容突起部１７２に周設させた状態で係合軸部１７１を出力側部材係合部１６７の挿通孔１６６に挿通させ、ねじりバネ１６３の一方の掛止部１６４を入力側部材１６１のバネ掛止受け部１６９に掛止させると共に他方の掛止部１６５を出力側部材１６２のバネ掛止受け部１７５に掛止させると、入力側部材１６１の当接突起部１７０が出力側部材１６２の前記当接突起受け部（図示せず）に当接し、ねじりバネ１６３の付勢方向への回転が規制され、入力側部材１６１と出力側部材１６２がプリロード状態で連結されるようになっている。
【００８０】
箱部材１３１のうち、通路形成部材１３２は、本体部１７６と本体部１７６の後面を閉塞する後蓋部１７７の２部材から構成されている。そして、本体部１７６の前面側には、ステージ部１４０の左右傾斜路１３３，１３４の各端部に対応する位置にそれぞれ特定入賞領域入口１７８と一般入賞領域入口１７９（図２参照）がそれぞれ方形状に開口されている。また、本体部１７６の前面側両端部には、軸受け当接部１８０，１８１がそれぞれ２箇所ずつ前方に突出して形成されている。このうち、一方側（本実施の形態では右側）の各軸受け当接部１８１は駆動伝達部材回動軸受け部１５２に対応する位置に設けられ、この軸受け当接部１８１により、駆動伝達部材回動軸受け部１５２の後方開放部分が閉塞され、駆動伝達部材１５６の後方への脱落が防止され、駆動伝達部材１５６は駆動伝達部材収容部１４７に回動自在に支持されるようになっている。なお、他方側（本実施の形態では左側）の各軸受け当接部１８０はダミーで設けられている。
【００８１】
さらに、本体部１７６の両側下部には、検出スイッチ収容部１８４，１８５がそれぞれ形成されており、各検出スイッチ収容部１８４，１８５には特定入賞領域通過検出スイッチ１８２及び一般領域通過検出スイッチ１８３が着脱可能に収容可能となっている。なお、特定入賞領域通過検出スイッチ１８２及び一般領域通過検出スイッチ１８３としては、遊技球の通過により変化する磁束密度を検出するコイルを備えた電磁式検出スイッチ、遊技球の通過により変化する電界を検出する電界検出スイッチ、或いは、通過する遊技球により操作部を駆動させることにより電気接点を開閉させるメカスイッチ等が使用可能である。
【００８２】
また、後蓋部１７７の前面側には、特定入賞領域入口１７８と一般入賞領域入口１７９に対応する位置にそれぞれ球誘導突起部１８６（図２参照）が突設されており、球誘導突起部１８６は遊技球を特定入賞領域（Ｖゾーン）及び一般入賞領域（いずれも図示せず）に誘導可能なように下側後方に傾斜して形成されている。
【００８３】
次に、図１及び図１４〜１７を参照しつつ、本実施の形態に係るパチンコ遊技機の可変入賞装置１０９の動作について説明する。
【００８４】
遊技領域３に弾球された遊技球が始動入賞口１２に入賞すると、図柄表示装置４において図柄の変動表示が開始され、所定時間経過後、停止図柄の組み合わせが、特定図柄、例えば、数字の７が３個揃う図柄となると判断された場合、通常遊技から特別遊技（大当り遊技）に移行する。
【００８５】
特別遊技に突入すると、ソレノイド１５５が駆動され、そのプランジャ１５８が前記コイルバネの弾性力に抗して後退し、駆動伝達部材１５６が係合軸部１７１を支点に回転する。そして、駆動伝達部材１５６の回転に伴い、開閉扉１１４が回動軸部１２７，１２８を支点に前方に回転し、大入賞口１３が開放される。この時、前面当接部１２３が開口部１１３の下方のベース部材１１１の前面側縁部に当接し、開閉扉１１４が後面の球受容部１２４が後方のステージ部１４０に向かって所定角度傾斜した姿勢に保持され、さらに、球受容部１２４には中央に向かって球寄せ壁１２６が形成されているため、球受容部１２４に落下した遊技球はステージ部１４０の最頂部１４１付近に確実に誘導される。
【００８６】
この場合、遊技球が特定入賞領域に入賞する迄は、左側（特定入賞領域側）の電磁石１４４が通電されるため、球受容部１２４からステージ１４０の最頂部１４１付近に誘導された遊技球は、通電により磁化された左側電磁石１４４により引き寄せられ、左側傾斜路１３３に沿って左方に向かって転動し、特定入賞領域入口１７８を通って前記特定入賞領域に入賞する。一方、遊技球が特定入賞領域に入賞すると判断されると、今度は反対に、右側（一般入賞領域側）の電磁石１４５が通電され、遊技球は、通電により磁化された右側電磁石１４５により引き寄せられ、右側傾斜路１３４に沿って右方に向かって転動し、一般入賞領域入口１７９を通って前記一般入賞領域に入賞する。なお、右側電磁石１４５が通電され、磁化された状態は、次のラウンド迄、維持される。そして、前記特定入賞領域への遊技球の入賞は特定入賞領域通過検出スイッチ１８２により検出され、前記一般入賞領域への遊技球の入賞は一般入賞領域通過検出スイッチ１８３により検出される。
【００８７】
大入賞口１３の前記特定入賞領域又は前記一般入賞領域のいずれかに遊技球が入賞した場合には、１５球の賞球が遊技者に払い出される。大入賞口１３の開閉扉１１４は、開放してから３０秒経過するか、又は１０球の入賞があるかのいずれかの事象が発生した場合に一旦閉鎖するが、開閉扉１１４が開放している間に、前記特定入賞領域への入賞があった場合には、大入賞口１３の開閉扉１１４は再度開放される。そして、その開閉扉１１４は、最大１６回連続して開放することが可能となっており、開閉扉１１４が１６回開放し終えるか、或いは開閉扉１１４の開放中に前記特定入賞領域への入賞を特定入賞領域通過検出スイッチ１８２が検出しなかった場合には、特別遊技は終了する。
【００８８】
特別遊技が終了すると、ソレノイド１５５は駆動を停止し、プランジャ１５８は前記コイルバネの弾性力により前進し、駆動伝達部材１５６は、開閉扉１１４の開放時とは反対の方向に回転する。そして、駆動伝達部材１５６の回転に伴い、開閉扉１１４は回動軸部１２７，１２８を支点に後方に回転し、大入賞口１３が閉鎖される。この時、開閉扉１１４の後面当接部１３０が開口部１１３下方のベース部材１１１の後面側縁部に当接するため、開閉扉１１４の閉鎖姿勢は確実に保持される。
【００８９】
このように、上記した実施の形態によれば、大入賞口１３に入賞した遊技球は、左右いずれかの電磁石１４４，１４５が磁化されることにより左右の傾斜路１３３，１３４に確実に振り分けられようになっているため、予め設定された所定のタイミングで遊技球を前記特定入賞領域又は前記一般入賞領域に確実に入賞させることができる。また、左右振り分け機構１１６が非接触形態で構成されているため、駆動源である電磁石１７１，１７２への負荷を最小限に抑えることができ、ランニングコストの低減化が可能となる。さらに、非接触形態で遊技球を左右に振り分けることにより、遊技球が左右いずれの方向に振り分けられるのかを遊技者が判断し難くなるため、遊技者に止め打ち等によりタイミングを計られるおそれがなくなる。
【００９０】
なお、図１８に示すように、球受容部１２４の球寄せ壁１９１を中央方向に延長し、球受容部１２４に落下した遊技球１９２が球受容部１２４の中央側に確実に誘導されるように構成させてもよい。この場合、遊技球１９２はステージ部１４０の最頂部１４１に確実に誘導されるようになるため、所望なように左右振り分け機構１１６を制御できるようになる。
【００９１】
また、上記した第４の実施の形態において、可変入賞装置１０９には前後方向に開閉可能な開閉扉１１４が設けられているが、この開閉扉１１４は、第２種（羽根物）の遊技盤に設けられる羽根タイプ（左右傾動式）のように左右方向に開閉可能なものであってもよい。
【００９２】
さらに、本発明は、例えば、ステージ部と非接触形態の左右振り分け機構を備えた入賞装置であって、開閉扉１１４を有しないものや、ステージ部と非接触形態の左右振り分け機構を備えた振り分け装置等、上記した遊技部品８，７０，８０や可変入賞装置１０９以外の遊技部品にも適用可能である。
【００９３】
さらにまた、アレンジボール遊技機や雀球遊技機等、上記したパチンコ遊技機以外の弾球遊技機にも適用可能であることは言う迄もない。
【図面の簡単な説明】
【００９４】
【図１】本発明の実施の形態における遊技盤を示す正面図である。
【図２】本発明の実施の形態における遊技盤を示す背面図である。
【図３】本発明の第１の実施の形態に係る弾球遊技機の遊技部品を示す分解斜視図である。
【図４】本発明の第１の実施の形態に係る弾球遊技機の遊技部品を示す分解平面図である。
【図５】本発明の第１の実施の形態に係る弾球遊技機の遊技部品を示す平断面図である。
【図６】本発明の第１の実施の形態に係る弾球遊技機の遊技部品を示す拡大平断面図である。
【図７】本発明の第１の実施の形態に係る弾球遊技機の遊技部品を示す背面側断面図である。
【図８】本発明の第１の実施の形態に係る弾球遊技機の遊技部品の作用を示す正面側断面図である。
【図９】本発明の第１の実施の形態に係る弾球遊技機の遊技部品の作用を示す側面側断面図である。
【図１０】（ａ）及び（ｂ）は、本発明の第１の実施の形態に係る弾球遊技機の遊技部品の作用を示す断面図である。
【図１１】本発明の第２の実施の形態に係る弾球遊技機の遊技部品を示す正面図であり、一部分を破断して示している。
【図１２】本発明の第２の実施の形態に係る弾球遊技機の遊技部品を示す分解平面図である。
【図１３】（ａ）〜（ｃ）は、本発明の第３の実施の形態に係る弾球遊技機の作用を示す正面図であり、一部分を破断して示している。
【図１４】本発明の第４の実施の形態に係る弾球遊技機の遊技部品を示す正面図である。
【図１５】本発明の第４の実施の形態に係る弾球遊技機の遊技部品を示す背面図である。
【図１６】本発明の第４の実施の形態に係る弾球遊技機の遊技部品を示す分解背面図である。
【図１７】本発明の第４の実施の形態に係る弾球遊技機の遊技部品を示す分解斜視図である。
【図１８】本発明の第４の実施の形態における球受容部の変更例を示す背面図である。
【符号の説明】
【００９５】
１          遊技盤
３          遊技領域
２４        ステージ部
２６        遊技球
７０        遊技部品
７１        左側電磁石
７２        右側電磁石
１０９      可変入賞装置
１１４        開閉扉
１１６        左右振り分け機構
１２４        球受容部
１４０        ステージ部
１４４        電磁石
１４５        電磁石
【図１】
2005198874.tif 000003
【図２】
2005198874.tif 000004
【図３】
2005198874.tif 000005
【図４】
2005198874.tif 000006
【図５】
2005198874.tif 000007
【図６】
2005198874.tif 000008
【図７】
2005198874.tif 000009
【図８】
2005198874.tif 000010
【図９】
2005198874.tif 000011
【図１０】
2005198874.tif 000012
【図１１】
2005198874.tif 000013
【図１２】
2005198874.tif 000014
【図１３】
2005198874.tif 000015
【図１４】
2005198874.tif 000016
【図１５】
2005198874.tif 000017
【図１６】
2005198874.tif 000018
【図１７】
2005198874.tif 000019
【図１８】
2005198874.tif 000020